(57)【要約】      （修正有）【課題】板金の陥没部の引出作業を微弱な力で容易に行い、且つ安価に製作・維持できる板金用引出補助具を提供する。【解決手段】筒状体の一端外周面に雄ネジを螺刻した溶着機装着部１と、長手方向の両端にネジ穴２ｂを有し、長手方向中央に前記雄ネジと螺合する雌ネジを螺設した貫通孔２ａを有する基部２と、該基部２の両端にネジ部材７を介して取り付けられる脚部３とで構成する。また、該脚部３は脚部本体４とベース部５で構成され、該脚部本体４とベース部５を挿通して傾動自在に軸支する支持部材６を備え、また前記脚部本体４は一端にネジ部材７を挿通するネジ穴４ａを有し、正面視が略Ｓ字状に形成された板材（プレート）とした。さらにまた前記支持部材６は、弾性を有する板材をＣ字状に形成したスプリングピンとした。【選択図】図２
0003173818.tif 000002
【実用新案登録請求の範囲】
【請求項１】
筒状体の一端外周面に雄ネジを螺刻した溶着機装着部と、長手方向の両端にネジ穴を有し、長手方向中央に前記雄ネジと螺合する雌ネジを螺設した貫通孔を有する基部と、該基部の両端にネジ部材を介して取り付けられる脚部とからなり、該脚部は脚部本体とベース部で構成され、該脚部本体とベース部を挿通して傾動自在に軸支する支持部材を備えたことを特徴とする板金用引出補助具。
【請求項２】
前記脚部本体は一端にネジ部材を挿通するネジ穴を有し、正面視が略Ｓ字状に形成された板材（プレート）であることを特徴とする請求項１に記載の板金用引出補助具。
【請求項３】
前記支持部材は、弾性を有する板材をＣ字状に形成したスプリングピンであることを特徴とする請求項１及び請求項２に記載の板金用引出補助具。
【考案の詳細な説明】
【技術分野】
【０００１】
本考案は、自動車の車体などの板金補修をするために使用される板金用引出補助具に関するものである。
【背景技術】
【０００２】
金属板材に生じた凹み、例えば事故等で凹んだ自動車のボディーを簡易且つ迅速に復元する方法として、近年では、各種の板金用引出具を用いて凹みを車体パネルの外側から引き出す方法が行われている。このような方法によれば、修復すべき凹み部分の裏面を露呈することなく、当該凹み部分の表面側のみで修復処理を行うことができ、作業時間を大幅に短縮することができる。
【０００３】
そして従来、このような補修方法に使用される板金用引出具としては、一般に溶接電極用の溶接チップをロッドの先端に設けたものや、フックをロッドの先端に設けたもの等が提供されている。この内、溶接チップを設けた板金用引出具では、溶接チップを補修対象となる車体パネルの凹み部に溶接した後、ロッドを引っ張って凹み具合を緩和するものである。またフックを設けた引出具では、板金面に溶接したワッシャや孔開きピンにフックを直接的または間接的に引っ掛けて、同様にロッドを引っ張って凹み具合を緩和するものである。その際に引出具を板金面から引出す装置もしくは補助具についは、各種の引出補助具が提供されている。
【０００４】
かかる板金用引出具、引出補助具については、以下の先行文献に開示されている。
【０００５】
特許文献１記載の板金引出装置では操作レバーとスプリングを用いた付勢手段を具備した板金用引出補助具が開示されており、過度の引出を防止することができる。特許文献２記載の板金用凹み修正機では引出手段は特許文献１記載の手段と同じであるが、補修箇所に当てる円帯形の当て座が取り付けられた基部フレームからなる板金用引出補助具が開示されている。また、特許文献３記載の板金加工具では、操作軸と支持脚を相対的に前記操作軸の長手方向に向けて可動にし、又、支持脚の脚部を操作軸の直交方向に向けて可動にし、更に、支持脚の脚部に着座部を揺動自在に取付け、操作軸には所定の間隔で鍔部を形成し、その鍔部の相互間に該操作軸の長手方向に沿って摺動自在なスライドハンマを装着し、微弱な作用力で板金部材を引出す装置が開示されている。
【先行技術文献】
【特許文献】
【０００６】
【特許文献１】特許第４５５１５８７号公報
【特許文献２】特開２００３−１８１５３８号公報
【特許文献３】特開平１０−３２８７３９号公報
【考案の概要】
【考案が解決しようとする課題】
【０００７】
しかしながら板金の引出手段としてスプリングを用いた場合はスプリングの反力をレバー操作により調整し引出すため、度重なる引出作業は作業者の握力低下を招き作業効率が悪化する。さらにスプリングの劣化に伴い装置自体のメンテナンスを行わなければならず、装置自体の維持コストがかさむ。
【０００８】
また本出願人は先に板金補修用電機溶着機として実用新案登録第３１６２４５８号を提供している。そこで該考案品を試用するにあたり、市場で取引されている板金用引出補助具を使用した。しかしながら既存の板金用引出補助具は高価であるため、低価な板金用引出補助具を提供することを目的としてなされたものである。
【課題を解決するための手段】
【０００９】
上記課題を解決するために本考案の板金用引出補助具は、筒状体の一端外周面に雄ネジを螺刻した溶着機装着部と、長手方向の両端にネジ穴を有し、長手方向中央に前記雄ネジと螺合する雌ネジを螺設した貫通孔を有する基部と、該基部の両端にネジ部材を介して取り付けられる脚部とからなり、該脚部は脚部本体とベース部で構成され、該脚部本体とベース部を挿通して傾動自在に軸支する支持部材を備えたことを第１の特徴とし、前記脚部本体は一端にネジ部材を挿通するネジ穴を有し、正面視が略Ｓ字状に形成された板材（プレート）であることを第２の特徴とし、前記支持部材は、弾性を有する板材をＣ字状に形成したスプリングピンであることを第３の特徴とする。
【考案の効果】
【００１０】
本考案の板金用引出補助具は以下のような優れた効果を奏する。
（１）構造が単純で構成部品数が少ないために製作コストが低い。
（２）部品が単純な形状のため、摩耗等による劣化、破損が少なく耐用年数が長い。つまりは維持コストが低い。
（３）テコの原理を利用して引出すため、使用時の労力が少なくて済み、作業効率が良い。
（４）脚部本体は正面視が略Ｓ字状に形成された板材（プレート）であるため、脚部の向きを反転し固設することでベース間の幅が変更する。そのために補修部に合わせてベース間隔が選択可能となり利便性に優れる。
【図面の簡単な説明】
【００１１】
【図１】本考案に係る板金用引出補助具の実施例を示す斜視図である。
【図２】本考案に係る板金用引出補助具の実施例を示す分解正面図である。
【図３】本考案に係る板金用引出補助具の溶着機実装状態を示す斜視図である。
【図４】本考案に係る板金用引出補助具の使用状態を示す断面図である。
【考案を実施するための形態】
【００１２】
以下、本考案の実施例を示す図面を参照しながら説明する。図１は、本考案の板金用引出補助具の実施例を示す全体斜視図、図２は図１の分解正面図であり、図３は溶着機実装状態を示す斜視図、図４は本考案に係る板金用引出補助具の使用状態を示す断面図である。
【実施例】
【００１３】
図１乃至図３に示すように、本考案の板金用引出補助具は溶着機９を挿設する溶着機装着部１と該溶着機装着部１と螺設する基部２と該基部２に固設される脚部３とネジ部材７で構成される。
【００１４】
溶着機装着部１はアルミニウムなどの金属製の筒状体であり、一端に溶着機９を係止するフランジ部１ａを有し、他端の外周面に雄ネジが螺刻してある。基部２は金属製で断面形状が略小判状となる棒体で、内側に雌ネジを螺刻し溶着機装着部１と螺合する貫通孔２ａを長手方向中央に穿設してある。また長手方向の両端側は、脚部３の一端が係合するための、深さが脚部本体４の厚みと同等の窪み部２ｃが設けられており、中央に脚部３を固設するネジ穴２ｂを有している。
【００１５】
脚部３は脚部本体４とベース部５と支持部材６から構成される。脚部本体４は、図２、図３に示すように正面、側面共に略Ｓ字状に湾曲した金属製のプレートであり、一端にネジ部材７が挿通し基部２に固設するための開孔部４ａと、他端に支持部材６が挿通しベース部５と連結するための開孔部４ｂとを有する。そのため図２に示すよう、開孔部４ａと開孔部４ｂの面間に差Ｘが生じ、脚部３の向きを反転し固設することで、ベース部間の幅Ｙが変更可能となる。ベース部５は直方体の角を面取りされた硬質樹脂性の略台形状体であり、上面に脚部本体４の一端が嵌め込まれる長穴部５ａと、側面中央に前記支持部材６が挿通する開孔部５ｂを有する。支持部材６は弾性を有する板材をＣ字状に形成したスプリングピンが好ましく、素材を挿通し貫通部の内面に反力を与え、脚部本体４の傾動に適度な抵抗をもたせる。これにより脚部本体４とベース部５が傾動自在に連結される。また、ベース部５の本実施例以外の形状としては、円形状や方形状、またはその他の多角形や不規則な形状の接地部（各種形状を有する環状体も含む）をその脚体の先に設けたもの等を挙げることができるが、特にこれらは限定するものではない。
【００１６】
ネジ部材７は、円柱状の硬質樹脂製である把手部７ａと、把手部７ａの端面から延び雄ネジを螺刻したネジ部分７ｂとで構成される。また、把手部７ａは把持した際に手が滑るのを防ぐために、外円周面に格子状に溝を設けてある。
【００１７】
次に、本考案の板金用引出補助具の使用状態を説明する。
【００１８】
図３に示すように溶着機装着部１に溶着機９を挿設する。溶着機９の先端には溶接チップ１２が取り付けられる。図４に示すように補修を必要とする板金部材１０の陥没部１１に溶接チップ１２が当接する位置に、本考案品を配置する。溶接チップ１２の先端が陥没部１１に着接するまで溶着機装着部１を軸方向へ螺嵌する。溶着機９を作動し、溶接チップ１２と陥没部１１を溶着させ、溶着機９のハンドル９ａを傾動すると、支持部材６を支点とし、作用力により陥没部１１が引出される。一方の手で把手部７ａを把持し本考案品を板金部材１０へ十分に密着させながら、他方の手でハンドル９ａを操作することが可能なため、操作性に優れる。
【００１９】
尚、本発明の板金用引出補助具は、上記した実施の形態に限定されるものではない。例えば基部２の形状としては三角柱、四角柱、円柱、などの種々の六面体が挙げることができる上に、溶着機装着部１、基部２、脚部本体４の材料は樹脂などの硬質材料でも良い。さらに基部２の両端に脚部３が係合する窪みなどは、その形状が円形などの形状であっても良くもしくは窪み自体が設けていなくても良い。さらにまた、基部２に窪みや凹みを設ける、もしくは形状が立方体や直方体や円柱や角柱などでも良い。このように本発明の要旨を逸脱しない範囲内において種々変更を加え得ることは言うまでもない。
【符号の説明】
【００２０】
１    溶着機装着部
１ａ  フランジ部
２    基部
２ａ  貫通孔
２ｂ  ネジ穴
２ｃ  窪み部
３    脚部
４    脚部本体
４ａ  開孔部
４ｂ  開孔部
５    ベース部
６    支持部材
７    ネジ部材
７ａ  把手部
７ｂ  ネジ部
９    溶着機
９ａ  ハンドル
１０  板金部材
１１  陥没部
１２  溶接チップ
【図１】
0003173818.tif 000003
【図２】
0003173818.tif 000004
【図３】
0003173818.tif 000005
【図４】
0003173818.tif 000006